(57)【要約】【課題】  電磁誘導加熱式のジャー炊飯器において、誘導加熱の発熱効率を高め、電磁誘導加熱性能の向上を図る内釜を提供する。【解決手段】  本体１と、該本体１の内壁を構成する保護枠３と、該保護枠３内に着脱自在に収納される内釜４と、前記保護枠３の外側に配置され内釜４を誘導加熱する底面加熱コイル５と、前記本体１及び内釜４の上面開口部を塞ぐ外蓋２とを備えたジャー炊飯器において、前記内釜４を内側がアルミニウム板７，外側がステンレス板８のクラッド材とし、さらにその外側に鉄９を溶射した。【選択図】図１
2009000247.tif 000002
【特許請求の範囲】
【請求項１】
本体と、該本体の内壁を構成する保護枠と、該保護枠内に着脱自在に収納される内釜と、前記保護枠の外側に配置され内釜を誘導加熱する誘導加熱コイルと、前記本体及び内釜の上面開口部を塞ぐ外蓋とを備えたジャー炊飯器において、前記内釜を内側がアルミニウム板、外側がステンレス板からなるクラッド材で構成し、さらに前記ステンレス板の外側に鉄を溶射して構成したことを特徴とするジャー炊飯器。
【請求項２】
前記鉄の溶射は内釜の底面から上端又は上端近傍までとしたことを特徴とする請求項１記載のジャー炊飯器。
【請求項３】
前記鉄の溶射は内釜の底面近傍のみとしたことを特徴とする請求項１記載のジャー炊飯器。
【発明の詳細な説明】
【技術分野】
【０００１】
本発明は、電磁誘導加熱により内釜を発熱させて炊飯を行うジャー炊飯器に関するものである。
【背景技術】
【０００２】
電磁誘導加熱式のジャー炊飯器は、内釜の素材として、外側に誘導加熱コイルにより誘導加熱される磁性材料を用い、内側には誘導加熱により発熱した磁性材料からの熱が内釜内部の米に均一に伝えられるように熱伝導性の良い材料を用いることが一般的であり、それらの素材として、特許文献１に示すように、外側をステンレス板、内側をアルミニウム板としたクラッド材を内鍋形状に絞り加工したものが多く用いられている。
【０００３】
また、特許文献２に示すように、内鍋形状をなす受型の底面に磁性金属材料である皿状のステンレス板等を敷き、その上に非磁性金属材料である溶融アルミニウムを注入し、その上から押型により高圧で加圧して内鍋を成形したものもある。
【０００４】
さらに、誘導加熱の高効率化図るために、特許文献３に示すようにアルミニウム板を絞り加工した内釜の外側底面部に電磁誘導加熱効率の最も良い鉄を溶射し、さらに、鉄溶射面の錆びを防止するために、鉄溶射面を覆うようにセラミックやアルミニウムを溶射したものもある。
【０００５】
【特許文献１】特開平５−１９９９３４号公報
【特許文献２】特開平８−２４１２３号公報
【特許文献３】特開２０００−１１６５０６号公報
【発明の開示】
【発明が解決しようとする課題】
【０００６】
上記した電磁誘導加熱式のジャー炊飯器においては、内釜の発熱部に発熱効率の最も良い鉄を用いるのが理想であるが、内釜は常に水周りで使用されるため、防錆上の課題があり、上記したように、特許文献１，２，３等に示すように内側に非磁性材料を用い、外側に磁性材料を用いている。
【０００７】
それらの中で、現在主流となっている特許文献１に示すものは、外側をステンレス板、内側をアルミニウム板としたクラッド材を用いて内鍋形状に絞り加工するだけであるため、内釜の加工費が安いという利点はあるが、磁性体であるステンレス板の発熱効率が７８％程度と、強磁性体である鉄の８４％程度に比べて低いという欠点がある。
【０００８】
また、特許文献２に示すものは、実際に製造するに当たっては、磁性金属材料が高圧溶融鍛造に耐える強度が必要であるため、強い磁性体である鉄が使用できず、ステンレス板に限定されてしまい、このため上記特許文献１と同様発熱効率が悪いという欠点がある。
【０００９】
また、内鍋の形状によっては、皿状のステンレス板がアルミニウム材から剥がれる心配があり、さらに高圧溶融鍛造であるため、生産コストが多大で安価に消費者に提供できないという欠点がある。
【００１０】
さらに、特許文献３に示すものは、アルミニウムに鉄を溶射し、発熱効率が高い内釜に出来るものの、溶射範囲は底部に限定される問題があった。鉄の溶射範囲を内釜上端近傍にまで広げると、アルミニウムと鉄の熱膨張，収縮の差と溶射の密着強度により急激に加熱，冷却をした際に鉄がアルミニウムから剥がれてしまう問題があるためである。
【００１１】
また、近年は、米の均一加熱性を高めるため内釜の側面上部にも誘導加熱コイルを設けるものがあるが、前述したように内釜の側面まで鉄溶射をすることができず、アルミニウムは電磁誘導加熱が出来ないため、鉄溶射の内釜を使い側面上部に誘導加熱コイルを設ける組み合わせの構成は実現できない問題があった。
【課題を解決するための手段】
【００１２】
本発明は上記の課題を解決するためになされたものであり、請求項１では、本体と、該本体の内壁を構成する保護枠と、該保護枠内に着脱自在に収納される内釜と、前記保護枠の外側に配置され内釜を誘導加熱する誘導加熱コイルと、前記本体及び内釜の上面開口部を塞ぐ外蓋とを備えたジャー炊飯器において、前記内釜を内側がアルミニウム板、外側がステンレス板よりなるクラッド材で構成し、さらに前記ステンレス板の外側に鉄を溶射して構成したものである。
【００１３】
請求項２では、鉄の溶射は内釜の底面から上端又は上端近傍までの構成としたものである。
【００１４】
請求項３では、鉄の溶射は内釜の底面近傍のみで構成したものである。
【発明の効果】
【００１５】
本発明の請求項１によれば、内釜を内側のアルミニウム板と外側のステンレス板よりなるクラッド材で構成し、さらに前記ステンレス板の外側に鉄を溶射することで、強磁性体である鉄で誘導加熱の発熱効率が高く、電磁誘導加熱性能の向上が図れるものである。
【００１６】
請求項２によれば、内釜上端または上端近傍まで鉄を溶射しているので、内釜の側面上部に誘導加熱コイルを設けた構成としたものにおいても、高効率で発熱し均一加熱性をより高めることができる。
【００１７】
また、底部の鉄溶射からの連続性により継ぎ目や段差を無くして清掃性を向上でき、側面に溶射された鉄の比熱により蓄熱性が高まり炊飯中に蓄えた熱で、蒸らし中も高温を維持でき省エネ効果につながる。
【００１８】
請求項３によれば、底面近傍のみに鉄を溶射したものにおいても、底部は鉄で効率よく誘導加熱させ、側面部もステンレスによって誘導加熱することができ、側面加熱も十分にできるとともに内釜の重量増加を抑えて低コストにすることができる。
【発明を実施するための最良の形態】
【００１９】
以下本発明の一実施例を図１により説明する。
【００２０】
図１において、ジャー炊飯器の本体１の内側には上面が開口した保護枠３が設けられ、その保護枠３内には内釜４が着脱自在に収納されている。
【００２１】
本体１の上面には、外蓋２が開閉自在に取付けられ、本体１と内釜４の上面開口部を塞いでいる。
【００２２】
前記保護枠３の外側底面部と外側側面部には、内釜４の底面部を誘導加熱する底面加熱コイル５と側面部を誘導加熱する側面加熱コイル６が設けられている。
【００２３】
前記内釜４は、厚さ１.８mmのアルミニウム板７と、厚さ０.５mmの磁性を有するステンレス板８をクラッドし、そのクラッド材を前記アルミニウム板７が内釜４の内側に位置し、ステンレス板８が外側に位置するように内釜形状に絞り加工し、その後、ステンレス板８のさらに外側に鉄９を溶射したものである。鉄９の溶射は本実施例では内釜４の上端近傍までとし、厚さを０.３〜０.７ミリで構成している。これは内釜４が重くなりすぎず、電磁誘導加熱の効率向上が成し得る厚さである。さらに鉄９の外側には、アルミ又はアルミシリコンの保護層１０を鉄９を覆うように０.１ミリ 程度の厚さで溶射し、鉄９の防錆としている。このアルミ又はアルミシリコンの保護層１０の厚さは、鉄９の電磁誘導加熱を妨げず、防錆性能を確保できる厚さである。さらに内釜４は外観と利便性の向上を目的として内面のアルミニウム板７の表面にはフッソ樹脂塗装１１を、外側のアルミ又はアルミシリコンの保護層１０溶射部の表面には防錆耐熱塗装１２を施している。
【００２４】
上記構成からなる本実施例の作用について説明する。
【００２５】
図１において、まず、使用者が内釜４内に適量の米と水を入れ、本体１内に収納して外蓋２を閉じる。
【００２６】
次に、操作手段（図示せず）を操作して炊飯を開始すると、底面加熱コイル５及び側面加熱コイル６に電流が流れ、交番磁界が発生して該加熱コイル５，６と対面した鉄９に渦電流が流れ、その渦電流によるジュール熱で電磁誘導加熱が起こる。そして、鉄９が発生した熱はステンレス板８と熱伝導の良いアルミニウム板７を介して内釜４内部の米と水に伝えられ炊飯が行われる。
【００２７】
やがて、米が水を吸って内釜４内の水がなくなると、内釜４の底部の温度が急上昇し、それを温度検知手段（図示せず）が検知して底面加熱コイル５及び側面加熱コイル６への通電を停止し、加熱が終了する。その後、一定時間蒸らしを行って炊飯が終了する。
【００２８】
そして、上記炊飯器において、本発明では、内釜４の外側を鉄９で構成することにより誘導加熱の発熱効率を向上させることができるものである。
【００２９】
また、内釜４の底面部を誘導加熱する底面加熱コイル５と側面部を誘導加熱する側面加熱コイル６の両方に対しても対応でき、米の均一加熱性の向上が図れるものである。
【００３０】
また、鉄９の溶射により蓄熱性が高まり、保温時の放熱量も少なく、省エネ効果にもつながるものである。
【００３１】
さらに、鉄９を熱膨張・収縮の近いステンレス板８（線膨張係数は、鉄が約１１×１０-6、磁性ステンレスが約１０×１０-6である。）に溶射することにより、鉄９を内釜４上端又は上端近傍まで設ける構成にしても、冷熱収縮差が少なく、剥がれの心配なく側面上部に側面加熱コイル６を設けた構成が実現し得るものである。
【００３２】
また、底部にのみ底面加熱コイル５がある構成においても、内釜４の上端または上端近傍まで鉄９を溶射する内釜４と組み合わせても良い。この場合は側面上部に誘導加熱コイルがないので、側面上部の鉄９は加熱効率の向上に寄与しないが、内釜４の外面は底部の鉄溶射からの連続性により継ぎ目や段差を無くして清掃性を向上でき、また側面に溶射された鉄９の比熱により蓄熱性が高まり炊飯中に蓄えた熱で、蒸らし中も高温を維持できるものである。
【００３３】
図２には本発明の他の実施例を示している。この場合、鉄９を内釜４上端近傍まででなく、鉄９溶射部を内釜４の底面近傍のみとしている。これにより、底面加熱コイル５に対しては鉄９の高効率の誘導加熱効果が得られ、側面加熱コイル６に対しては鉄９が対向していないがステンレス板８が対向しているため、側面加熱コイル６に対しても誘導加熱を成し得ることができ、側面加熱も十分にでき均一加熱性を向上することができるとともに、内釜４の重量増加を抑えて低コストにすることができる。
【００３４】
なお、本実施例ではアルミニウム板７，ステンレス板８，鉄９，アルミ又はアルミシリコンの保護層１０の厚さの例をあげたが、これらの厚さに限定されるものではない。
【図面の簡単な説明】
【００３５】
【図１】本発明の一実施例を示すジャー炊飯器の縦断面図である。
【図２】本発明の他の実施例を示すジャー炊飯器の縦断面図である。
【符号の説明】
【００３６】
１  本体
２  外蓋
３  保護枠
４  内釜
５  底面加熱コイル
６  側面加熱コイル
７  アルミニウム板
８  ステンレス板
９  鉄
１０  保護層
１１  フッソ樹脂塗装
１２  防錆耐熱塗装
【図１】
2009000247.tif 000003
【図２】
2009000247.tif 000004